(57)【要約】　　　（修正有）【課題】両側がキャップされた写真用パトローネに、外部からフィルム係止を行う写真用フィルムの製造方法を提供する。【解決手段】ガイド部材３の一方の平板状の先端ガイド部３ａをパトローネのスリット口ａ３に直進状に挿入する工程と、前記ガイド部材３を回転させてその先端ガイド部３ａの先端を前記スプール１Ｂへ向けると共に、先端ガイド部３ａと所定の角度で傾斜させて接続した後端ガイド部３ｂの一部が前記スリット口ａ３に挿入されるまで更に挿入し、前記先端ガイド部３ａの先端をスプール１Ｂに接近させる工程と、写真フィルムＦを前記スリット口ａ３から挿入し、前記スプール１Ｂに係止させる工程と、前記スリット口ａ３の外部にある前記後端ガイド部３ｂを引き出すと共に傾斜側に向けて回転させた後、前記ガイド部材３を前記写真用パトローネ１外へ取り出す工程と、前記スプール１Ｂに係止した写真フィルムＦを巻き取る工程とを有する。【選択図】　　　　図８
2004020750.tif 000002
【特許請求の範囲】
【請求項１】
写真フィルムを装填するスリット口を有し、スプールを内蔵すると共に両側がキャップで遮蔽されてなる写真用パトローネに写真フィルムを装填して写真用フィルムを製造する方法であって、
前記スリット口に、平板状の先端ガイド部に平板状の後端ガイド部を所定の角度で傾斜状に接続してなるガイド部材を、前記先端ガイド部がパトローネ本体に対するスリット口の延出方向と平行な状態で、且つ前記後端ガイド部がスリット口に対してパトローネ本体側に位置した状態で、前記先端ガイド部側から直進状に挿入する工程と、
前記スリット口に挿入された前記ガイド部材を傾斜側に向けて回転させてその先端ガイド部の先端を前記スプールへ向けると共に、前記ガイド部材の後端ガイド部の一部が前記スリット口に挿入されるまで更に挿入して、前記先端ガイド部の先端をスプールに接近させる工程と、
前記ガイド部材の傾斜面側に接触させつつ写真フィルムを前記スリット口から挿入し、該フィルムの先端を前記スプールに係止させる工程と、
前記スリット口に挿入されず外部に存在している前記後端ガイド部を引き出すと共に傾斜側に向けて回転させた後、先端ガイド部を直進状に引き出して該ガイド部材を前記写真用パトローネ外へ取り出す工程と、
前記スプールに係止した写真フィルムを巻き取る工程と、
を有することを特徴とする写真用フィルムの製造方法。
【請求項２】
写真フィルムを装填するスリット口を上部に有し、スプールを内蔵すると共に両側がキャップで遮蔽されてなる写真用パトローネに写真フィルムを装填して写真用フィルムを製造する方法であって、
前記スリット口に、平板状の先端ガイド部に平板状の後端ガイド部を所定の角度で傾斜状に接続すると共に内部にフィルム通路を形成してなる中空状のガイド部材を、前記先端ガイド部がパトローネ本体に対するスリット口の延出方向と平行な状態で、且つ前記後端ガイド部がスリット口に対してパトローネ本体側に位置した状態で、前記先端ガイド部側から直進状に挿入する工程と、
前記スリット口に挿入された前記ガイド部材を傾斜側に向けて回転させてその先端ガイド部の先端を前記スプールへ向けると共に、前記ガイド部材の後端ガイド部の一部が上記スリット口に挿入されるまで更に挿入して、前記先端ガイド部の先端をスプールに接近させる工程と、
写真フィルムを前記ガイド部材のフィルム通路に後端ガイド部側から挿入し、該写真フィルムの先端を前記スプールに係止させる工程と、
前記スリット口に挿入されず外部に存在している前記後端ガイド部を引き出すと共に傾斜側に向けて回転させた後、先端ガイド部を直進状に引き出して該ガイド部材を前記写真用パトローネ外へ取り出す工程と、
前記スプールに係止した写真フィルムを巻き取る工程と、
を有することを特徴とする写真用フィルムの製造方法。
【請求項３】
写真フィルムを装填するスリット口を有し、スプールを内蔵すると共に両側がキャップで遮蔽されてなる写真用パトローネに写真フィルムを装填して写真用フィルムを製造する方法であって、
平板状の先端ガイド部に平板状の後端ガイド部を所定の角度で傾斜状に接続してなるガイド部材を２枚用意し、該２枚のガイド部材を所定の間隙を介して併設して該間隙にフィルム通路を形成する工程と、
前記スリット口に、前記２枚のガイド部材を、前記先端ガイド部がパトローネ本体に対するスリット口の延出方向と平行な状態で、且つ前記後端ガイド部がスリット口に対してパトローネ本体側に位置した状態で、前記先端ガイド部側から直進状に挿入する工程と、
前記スリット口に挿入された前記ガイド部材を傾斜側に向けて回転させてその先端ガイド部の先端を前記スプールへ向けると共に、前記ガイド部材の後端ガイド部の一部が前記スリット口に挿入されるまで更に挿入して、前記先端ガイド部の先端をスプールに接近させる工程と、
前記ガイド部材の間隙で形成されるフィルム通路に後端ガイド部側から写真フィルムを挿入し、該写真フィルムの先端を前記スプールに係止させる工程と、
前記スリット口に挿入されず外部に存在している前記後端ガイド部を引き出すと共に傾斜側に向けて回転させた後、先端ガイド部を直進状に引き出して該ガイド部材を前記写真用パトローネ外へ取り出す工程と、
写真用パトローネ外へ取り出した前記２枚のガイド部材を分離させて前記フィルム通路を開放させる工程と、
スプールに係止した写真フィルムを巻き取る工程と、
を有することを特徴とする写真用フィルムの製造方法。
【請求項４】
上記写真用パトローネは１３５フィルムパトローネであり、上記ガイド部材の内側のなす角度が１１０°±２０°であることを特徴とする請求項１、２又は３記載の写真用フィルムの製造方法。
【発明の詳細な説明】
【０００１】
【発明の属する技術分野】
本発明は写真用フィルムの製造方法に関し、詳しくは、スプールを内蔵すると共に両側がキャップで遮蔽された状態の写真用パトローネに、写真フィルムを係止して巻き取るようにした写真用フィルムの製造方法に関する。
【０００２】
【従来の技術】
従来、３５ｍｍ等の写真フィルムがパトローネ内に巻回されて収容されてなる写真用フィルムの製造は、一般に、鋼板を打抜き、曲げ加工し、テレンプを貼った舟形を丸めると共に、その片側にのみキャップを嵌めた状態のパトローネを形成しておき、このパトローネ内にフィルムスクロール（スプールにフィルムを巻き付けたもの）を収容し、その後、パトローネのもう片側にキャップを嵌めることにより行っていた。
【０００３】
しかし、この場合、片側のみにキャップを嵌めた状態のパトローネは、キャップが嵌められていないもう片側が鋼板の弾性により拡開しようとするため、鋼板の硬度等の特性バラツキにより形状バラツキが大きくなり、フィルムを巻き込む際やこのような片キャップ状態のパトローネを扱う際、パトローネの位置決め不良やチャック不良等のトラブルの発生が多かった。
【０００４】
かかる問題点を解消する技術として、予めスプールが内蔵され両側がキャップで遮蔽された形状が安定したパトローネに、フィルムを係止して巻き込む方法がある。例えば、特開昭４９−１０７７３２号には、スプールを内蔵して両側にキャップを嵌めた状態のパトローネのスリット口より、予め先端が湾曲するように加工された高い弾性係数を持つ板ばねを挿入することで、スリット口を通過した板ばねの先端を、その弾性により湾曲状に撓ませてスプール方向に向かわせ、次いで、この板ばねの内側に沿ってスリット口よりフィルムを挿入することで、フィルムをスプールに係止させ、その後、板ばねをスリット口から取り外してフィルムを巻き取る方法が開示されている。
【０００５】
しかし、この板ばねは、これを受容している受入導管内からパトローネのスリット口に向けて直線状に挿入されるため、予め湾曲状に加工されている先端の湾曲方向とスリット口への挿入方向とが異なり、板ばねが受入導管を出てパトローネの直線状のスリット口を通過する際に、板ばねの先端が弾性により湾曲しようとしてスリット口の内面と干渉しながら挿入されていき、これによりスリット口の内面に貼られているテレンプを摩耗させ、時にはスリット口を変形させたりする問題があった。写真用フィルムの製造にとってテレンプの摩耗やスリット口の変形はパトローネの遮光性に影響を与える重大な問題である。
【０００６】
しかも、板ばねは高い弾性係数を持つ部材により先端が湾曲状に加工形成されるため、形状が安定せず、先端が目標の位置、即ちスプールのフィルム係止部に達しない場合があり、フィルム係止の確実性が落ちるという問題もあった。
【０００７】
【発明が解決しようとする課題】
そこで、本発明は、上述の問題点を解消し、スプールを内蔵し、両側がキャップで遮蔽された形状の安定した写真用パトローネに対して、パトローネ外からフィルムを係止して巻き取ることができ、しかも、パトローネのスリット口やテレンプに対してダメージを与えることなくフィルム係止を行うことのできる写真用フィルムの製造方法を提供することを課題とする。
【０００８】
【課題を解決するための手段】
上記の課題は以下の各発明によって解決される。
【０００９】
（１）第１の発明は、写真フィルムを装填するスリット口を有し、スプールを内蔵すると共に両側がキャップで遮蔽されてなる写真用パトローネに写真フィルムを装填して写真用フィルムを製造する方法であって、前記スリット口に、平板状の先端ガイド部に平板状の後端ガイド部を所定の角度で傾斜状に接続してなるガイド部材を、前記先端ガイド部がパトローネ本体に対するスリット口の延出方向と平行な状態で、且つ前記後端ガイド部がスリット口に対してパトローネ本体側に位置した状態で、前記先端ガイド部側から直進状に挿入する工程と、前記スリット口に挿入された前記ガイド部材を傾斜側に向けて回転させてその先端ガイド部の先端を前記スプールへ向けると共に、前記ガイド部材の後端ガイド部の一部が前記スリット口に挿入されるまで更に挿入して、前記先端ガイド部の先端をスプールに接近させる工程と、前記ガイド部材の傾斜面側に接触させつつ写真フィルムを前記スリット口から挿入し、該フィルムの先端を前記スプールに係止させる工程と、前記スリット口に挿入されず外部に存在している前記後端ガイド部を引き出すと共に傾斜側に向けて回転させた後、先端ガイド部を直進状に引き出して該ガイド部材を前記写真用パトローネ外へ取り出す工程と、前記スプールに係止した写真フィルムを巻き取る工程と、を有することを特徴とする写真用フィルムの製造方法である。
【００１０】
（２）第２の発明は、写真フィルムを装填するスリット口を上部に有し、スプールを内蔵すると共に両側がキャップで遮蔽されてなる写真用パトローネに写真フィルムを装填して写真用フィルムを製造する方法であって、前記スリット口に、平板状の先端ガイド部に平板状の後端ガイド部を所定の角度で傾斜状に接続すると共に内部にフィルム通路を形成してなる中空状のガイド部材を、前記先端ガイド部がパトローネ本体に対するスリット口の延出方向と平行な状態で、且つ前記後端ガイド部がスリット口に対してパトローネ本体側に位置した状態で、前記先端ガイド部側から直進状に挿入する工程と、前記スリット口に挿入された前記ガイド部材を傾斜側に向けて回転させてその先端ガイド部の先端を前記スプールへ向けると共に、前記ガイド部材の後端ガイド部の一部が上記スリット口に挿入されるまで更に挿入して、前記先端ガイド部の先端をスプールに接近させる工程と、写真フィルムを前記ガイド部材のフィルム通路に後端ガイド部側から挿入し、該写真フィルムの先端を前記スプールに係止させる工程と、前記スリット口に挿入されず外部に存在している前記後端ガイド部を引き出すと共に傾斜側に向けて回転させた後、先端ガイド部を直進状に引き出して該ガイド部材を前記写真用パトローネ外へ取り出す工程と、前記スプールに係止した写真フィルムを巻き取る工程と、を有することを特徴とする写真用フィルムの製造方法である。
【００１１】
（３）第３の発明は、写真フィルムを装填するスリット口を有し、スプールを内蔵すると共に両側がキャップで遮蔽されてなる写真用パトローネに写真フィルムを装填して写真用フィルムを製造する方法であって、平板状の先端ガイド部に平板状の後端ガイド部を所定の角度で傾斜状に接続してなるガイド部材を２枚用意し、該２枚のガイド部材を所定の間隙を介して併設して該間隙にフィルム通路を形成する工程と、前記スリット口に、前記２枚のガイド部材を、前記先端ガイド部がパトローネ本体に対するスリット口の延出方向と平行な状態で、且つ前記後端ガイド部がスリット口に対してパトローネ本体側に位置した状態で、前記先端ガイド部側から直進状に挿入する工程と、前記スリット口に挿入された前記ガイド部材を傾斜側に向けて回転させてその先端ガイド部の先端を前記スプールへ向けると共に、前記ガイド部材の後端ガイド部の一部が前記スリット口に挿入されるまで更に挿入して、前記先端ガイド部の先端をスプールに接近させる工程と、前記ガイド部材の間隙で形成されるフィルム通路に後端ガイド部側から写真フィルムを挿入し、該写真フィルムの先端を前記スプールに係止させる工程と、
前記スリット口に挿入されず外部に存在している前記後端ガイド部を引き出すと共に傾斜側に向けて回転させた後、先端ガイド部を直進状に引き出して該ガイド部材を前記写真用パトローネ外へ取り出す工程と、写真用パトローネ外へ取り出した前記２枚のガイド部材を分離させて前記フィルム通路を開放させる工程と、スプールに係止した写真フィルムを巻き取る工程と、を有することを特徴とする写真用フィルムの製造方法である。
【００１２】
（４）上記写真用パトローネは１３５フィルムパトローネであり、上記ガイド部材の内側のなす角度が１１０°±２０°であることを特徴とする（１）、（２）又は（３）記載の写真用フィルムの製造方法である。
【００１３】
【発明の実施の形態】
以下、本発明の実施の形態について詳細に説明する。
【００１４】
まず、以下に説明する各発明において共通する写真用パトローネ（以下、単にパトローネという）の構成について説明する。
【００１５】
図１（ａ）は、写真用パトローネの外観構成を示す斜視図、（ｂ）はその断面図、図２（ａ）はパトローネ内に収容されるスプールの斜視図、（ｂ）はスプールの中央断面図である。ここでは最も代表的な３５ｍｍの写真フィルムを収容する１３５フィルムパトローネについて説明する。
【００１６】
パトローネ１は、鋼板を用いて円筒状に形成されたパトローネ本体１Ａ内にスプール１Ｂを内蔵し、その両側にそれぞれキャップａ１、ａ１をかしめ固定して構成されている。各キャップａ１には中心に開口ａ２が形成されており、スプール１Ｂはその両端にそれぞれ突出している各ハブｂ１、ｂ１が上記開口ａ２から外部に突出して支承されることで、パトローネ本体１Ａ内において回転可能とされている。
【００１７】
パトローネ本体１Ａは、円筒状に丸められた鋼板の両端の内面同士を間隙をおいて重ね合わせると共に、該重ね合わせ部を同一方向に折り曲げると共にパトローネ本体１Ａの周方向に延出し、その重ね合わせ部に形成される間隙が写真フィルム（図示せず）を出し入れする際のスリット口ａ３となり、このスリット口ａ３に遮光性を持たせるためのテレンプａ４が設けられている。
【００１８】
スプール１Ｂは、写真フィルムを巻き取る巻取り軸ｂ２の両端にそれぞれフランジｂ３、ｂ３が、更にその外側にそれぞれハブｂ１、ｂ１が同心状に設けられている。巻取り軸ｂ２には、写真フィルムの先端が挿入されるスリット状のスプール孔ｂ４が形成され、そのスプール孔ｂ４内には係止爪ｂ５と該係止爪ｂ５に係止された写真フィルムの抜けを防止するための押えリブｂ６とが対向状に設けられている。図２に示す態様では、係止爪ｂ５はスプール孔ｂ４内において所定間隔をもって２つ設けられ、押えリブｂ６はその間に１つだけ設けられているが、係止爪ｂ５及び押えリブｂ６の数、形状については特に限定されない。
【００１９】
図３は、第１の発明に係る写真用フィルムの製造方法を実施するために好適な製造装置の一例を示す概略斜視図である。この製造装置２において、２１はパトローネ１を保持するパトローネホルダーであり、パトローネ１は、そのスリット口ａ３が後述するフィルムシュート２２側に臨むように、このパトローネホルダー２１に保持されてセットされる。
【００２０】
写真フィルムを上記パトローネ１に対して供給するためのフィルムシュート２２は、上記パトローネホルダー２１に保持されたパトローネ１のスリット口ａ３に一端が臨むように直線状に配設され、ガイドレール２３に沿ってスライド可能なスライド部材２４を介して該フィルムシュート２２の配設方向に沿ってスライド可能に設けられている。従って、フィルムシュート２２は、図示しない駆動手段によってスライドすることで、その先端がパトローネホルダー２１にセットされたパトローネ１のスリット口ａ３に対して接離可能とされている。
【００２１】
なお、２２ａ、２２ａはフィルムシュート２２内の写真フィルムに接して該写真フィルムをパトローネ１のスリット口ａ３へ向けて移送するためのフィルム送りローラであり、フィルムシュート２２を挟んで上下に対向状に配設され、図示しない駆動手段により駆動される。
【００２２】
パトローネ１がパトローネホルダー２１にセットされた状態で、該パトローネ１のスリット口ａ３とフィルムシュート２２の先端との間には、写真フィルムをパトローネ１のスプールに係止するためのガイドをなすガイド部材３が配置されている。
【００２３】
このガイド部材３は、図４に示すように、平板状の先端ガイド部３ａに同じく平板状の後端ガイド部３ｂが所定の角度を持って傾斜状に接続されて形成された略への字状をなしている。上記先端ガイド部３ａと後端ガイド部３ｂとは、所定のＲ（アール）を有する曲部３ｃによって接続されていることが好ましく、これら先端ガイド部３ａ、曲部３ｃ及び後端ガイド部３ｂが、スリット口ａ３の幅とほぼ同幅に形成されている。これらは金属薄板を用いて屈曲形成すれば簡単に一体形成することができる。
【００２４】
また、先端ガイド部３ａと後端ガイド部３ｂの各平面がなす内側の角度αは、１１０°±２０°が好ましい。上記範囲を外れると、このガイド部材３がスリット口ａ３からパトローネ１内に挿入された際、その先端ガイド部３ａが、図２に示すスプール１Ｂのスプール孔ｂ４に向かわず、写真フィルムをこのスプール孔ｂ４まで案内することが困難となる。より好ましくは１１０°±５°、最も好ましくは１１０°である。
【００２５】
なお、先端ガイド部３ａの先端はその両側部が切り欠かれ、スプール１Ｂのスプール孔ｂ４の幅にほぼ合致するように幅狭状に形成されている。
【００２６】
パトローネホルダー２１の側方には、上記ガイド部材３を支持するためのブロック２５がフィルムシュート２２によるフィルムの送り方向に沿って、図示しない駆動手段によってスライド可能に配設されており、このブロック２５からパトローネ１のスリット口ａ３とフィルムシュート２２の先端との間に向けて回動軸２６が図示しない駆動手段により回動可能に突出している。
【００２７】
また、ブロック２５には、上下方向に切り欠かれた長孔２５ａが形成されており、回動軸２６は、この長孔２５ａ内から突出することで、長孔２５ａに沿って昇降可能とされている。この回動軸２６のブロック２５からの突出量は、ブロック２５がパトローネホルダー２１の側方に並置するようにスライド移動し（図３における最左端の位置）、且つ、回動軸２６が長孔２５ａの最下端まで下降した状態でも、その回動軸２６の先端がパトローネホルダー２１及びそれに保持されているパトローネ１のいずれにも当接することのない程度とされている。
【００２８】
回動軸２６の外周面には、その軸方向に沿って延びる取付腕２６ａが突設されている。ガイド部材３は、その先端ガイド部３ａの先端がパトローネホルダー２１にセットされたパトローネ１のスリット口ａ３に向かい、且つ後端ガイド部３ｂがスリット口ａ３に対してパトローネ本体１Ａ側（図示下側）に傾斜した状態、即ち、略への字状に屈曲している内側が図示下側に配置されるように、その後端ガイド部３ｂの後端側の外側面が上記取付腕２６ａに取り付けられ、回動軸２６の回動によってガイド部材３の曲部３ｃにほぼ沿うように回動するようになっている（図５参照）。
【００２９】
なお、この回動軸２６は、ガイド部材３の先端ガイド部３ａがパトローネホルダー２２にセットされたパトローネ１のスリット口ａ３のパトローネ本体１Ａに対する延出方向に平行となる位置（図５の状態）と、ガイド部材３の後端ガイド部３ｂが上記スリット口ａ３の延出方向と平行となる位置（図７の状態）との間で、時計方向及び反時計方向に回動する。
【００３０】
次に、かかる製造装置を用いた写真用フィルムの製造方法について説明する。
【００３１】
まず、図１に示すようにスプール１Ｂを内蔵すると共に両側がそれぞれキャップａ１、ａ１で遮蔽されたパトローネ１を、パトローネホルダー２２に手動又は自動でセットし、パトローネ１の位置決めを行う。ここでパトローネ１は、そのスリット口ａ３が図示上方に位置し、且つフィルムシュート２２の先端に向くように配置されて保持され、更に、スプール１Ｂの向きが、図５に示すようにスプール孔ｂ４の入口側がスリット口ａ３の根元方向を向く位置で、適宜の位置ロック手段を用いてロックされる。
【００３２】
パトローネ１がパトローネホルダー２２にセットされ、スプール１Ｂの位置がロックされると、回動軸２６が図５の状態から長孔２５ａを下降し、その先端に取り付けられているガイド部材３がパトローネ１のスリット口ａ３の近傍に配置される。このときガイド部材３は、その先端ガイド部３ａがパトローネ本体１Ａに対するスリット口ａ３の延出方向（フィルムシュート２２によるフィルムの送り方向）と平行となり、且つ後端ガイド部３ｂがスリット口ａ３に対してパトローネ本体１Ａ側（図示下側）に位置するように保持されている。
【００３３】
ガイド部材３の先端ガイド部３ａが、パトローネ１のスリット口ａ３の高さまでくると、回動軸２６は下降を停止する。次いで、ブロック２５はフィルムの送り方向と同一方向に前進し、回動軸２６に取り付けられたガイド部材３の先端ガイド部３ａをパトローネ１のスリット口ａ３から挿入する。これによりガイド部材３は、その先端ガイド部３ａがブロック２５の前進によりスリット口ａ３の変形やテレンプを傷めることなくスリット口ａ３の延出方向と平行に直進状に挿入される（図６参照）。
【００３４】
このガイド部材３の挿入が開始されると、その途中から回動軸２６は微小角度範囲で時計方向及び反時計方向に交互に回動を繰り返し、ブロック２５の前進動作と同時にガイド部材３を揺動させ、ガイド部材３の挿入が円滑に行われるようにしている。
【００３５】
ガイド部材３の先端ガイド部３ａのほぼ全体がスリット口ａ３内に挿入され、それに続く曲部３ｃ近傍がスリット口ａ３まで到達すると、ブロック２５は、回動軸２６を徐々に回動させることで、ガイド部材３の後端ガイド部３ｂがスリット口ａ３の延出方向と平行となるようにガイド部材３を傾斜側に向けて図示反時計方向に回転させながら、ガイド部材３の後端ガイド部３ｂがスリット口ａ３に挿入されるまで更に前進する。これによりガイド部材３の先端ガイド部３ａの先端は、パトローネ１内においてスプール１Ｂへ向かい、そのスプール孔ｂ４の入口近傍まで接近する。また、これとほぼ同時に、フィルムシュート２２及びフィルム送りローラ２２ａもガイドレール２３に沿ってパトローネ１に向けて前進し、フィルムシュート２２の先端がパトローネ１のスリット口ａ３に近接する位置で停止する（図７参照）。
【００３６】
次いで、未露光の写真フィルムＦがフィルムシュート２２を通してフィルム送りローラ２２ａにより送り出される。フィルムシュート２２の先端から送り出された写真フィルムＦは、パトローネ１のスリット口ａ３に挿入されたガイド部材３の傾斜側（図示下側）の面に沿って接触しつつそのスリット口ａ３に挿入される。即ち、写真フィルムＦは、パトローネ１のスリット口ａ３から一部出ているガイド部材３の後端ガイド部３ｂの下面に沿ってスリット口ａ３に挿入され、次いで、曲部３ｃの内側に突き当たり、その曲面に沿ってスプール１Ｂ方向に向きが変えられ、続いて先端ガイド部３ａの下面に沿ってスプール孔ｂ４まで案内される。先端がスプール孔ｂ４まで案内された写真フィルムＦは、図２に示すスプール孔ｂ４内に設けられている各係止爪ｂ５、ｂ５に、写真フィルムＦ先端に形成されている係止孔が係合することで係止される（図８参照）。
【００３７】
写真フィルムＦがスプール１Ｂに係止されると、フィルムシュート２２及びフィルム送りローラ２２ａはガイドレール２３に沿って後退する。このときフィルムシュート２２内の写真フィルムＦはスプール１Ｂに係止されているため後退しない。
【００３８】
次いで、ブロック２５は後退を開始し、回動軸２６に取り付けられたガイド部材３の後端ガイド部３ｂをパトローネ１のスリット口ａ３から引き出す。このとき後端ガイド部３ｂは、ブロック２５の後退によりスリット口ａ３の延出方向と平行に直進状に引き出される。これと同時に、回動軸２６は挿入時と同様に微小角度範囲で回動を繰り返すことで、ガイド部材３の引き出しが円滑に行われるようにブロック２５の後退動作と共にガイド部材３を揺動させる。
【００３９】
その後、ブロック２５は、後退動作と同時に回動軸２６を徐々に回動しながら、ガイド部材３の先端ガイド部３ａがスリット口ａ３の延出方向と平行となるように、ガイド部材３を傾斜側に向けて図示時計方向に回転させ、その後、先端ガイド部３ａを直進状に引き出し、ガイド部材３をスリット口ａ３から取り出す。このガイド部材３の取り出し動作において、ガイド部材３の先端ガイド部３ａ及び後端ガイド部３ｂは、その平面に沿うようにそれぞれ直進状に引き出されるため、挿入動作時と同様、パトローネ１のスリット口ａ３と干渉することがほとんどなく、仮に接触してもガイド部材３の先端の角部が接触することがないため、そのスリット口ａ３やテレンプに与える影響は少ない。
【００４０】
ガイド部材３が取り出されると、そのガイド部材３の回転により、後端ガイド部３ｂの後端部がパトローネ１のスリット口ａ３から出ている写真フィルムＦの上面に当接し、更に回転するに伴って、スリット口ａ３とフィルムシュート２２との間の写真フィルムＦのフィルムパスラインを下方にＶ字状に屈曲させる（図９参照）。このとき、写真フィルムＦの先端はスプール１Ｂに係止されて固定されているため、フィルムパスラインの曲がりに伴ってフィルムシュート２２内に位置している写真フィルムＦがパトローネ１に向けて移動することとなる。従って、このときの写真フィルムＦの移動を適宜の手段により検知することで、写真フィルムＦの先端がスプール１Ｂに確実に係止されたことを自動的に検出することが可能である。
【００４１】
なお、この写真フィルムＦの上面側に当接するガイド部材３の後端部分又は取付腕２６ａは、図示するように曲面状に形成することで、当接時に写真フィルムＦに与えるダメージを少なくすることが望ましい。
【００４２】
ガイド部材３がパトローネ１外へ取り出された後、回動軸２６は長孔２５ａに沿って上昇し、ガイド部材３をフィルムパスラインから上方へ退避させる。これにより写真フィルムＦのパスラインは直線状となる（図１０、図１１参照）。次いで、パトローネ１のスプール１Ｂ及びフィルム送りローラ２２ａを回転させることで、スプール１Ｂに係止した写真フィルムＦを巻き取る。このとき、ガイド部材３はパトローネ１から取り出され、フィルムパスライン上からも退避しているため、巻き取り時に写真フィルムＦがガイド部材３と接触することはなく、写真フィルムＦに傷等が発生する心配はない。この写真フィルムＦの巻き取りにより写真用フィルムが完成する。
【００４３】
次に、第２の発明に係る写真用フィルムの製造方法について説明する。この第２の発明に係る製造方法を実施するために使用するのに好適な製造装置は、第１の発明において説明した製造装置２におけるガイド部材の構成が異なっている。
【００４４】
このガイド部材の構成を図１２に示す。なお、以下の説明において、図１〜図１１と同一符号は同一構成を示している。
【００４５】
ガイド部材４は、図示上側に位置する上側ガイド板４１と、図示下側に位置する下側ガイド板４２と、その両側を遮蔽する側部ガイド部４３、４４とを有する中空状を呈しており、その先端側に上側ガイド板４１、下側ガイド板４２及び側部ガイド部４３、４４とで形成された直線状に延びる先端ガイド部４ａと、後端側に同じく上側ガイド板４１、下側ガイド板４２及び側部ガイド部４３、４４とで形成された直線状に延びる後端ガイド部４ｂとが所定の角度で傾斜状に接続され、また、先端ガイド部４ａと後端ガイド部４ｂとの間に所定のＲ（アール）を有する曲部４ｃが設けられた略への字状をなし、中空の内部にフィルム通路ｐを形成している。また、先端ガイド部４ａにおける上側ガイド板４１及び下側ガイド板４２の先端は、その両側部が切り欠かれ、スプール１Ｂのスプール孔ｂ４の幅にほぼ合致するように幅狭状に形成されている。
【００４６】
この先端ガイド部４ａと後端ガイド部４ｂの各平面がなす内側の角度αは、前記ガイド部材３と同様の理由から、１１０°±２０°、より好ましくは１１０°±５°、最も好ましくは１１０°である。
【００４７】
このガイド部材４は、第１の発明におけるガイド部材３と同様にして、ブロック２５から突設している回動軸２６の取付腕２６ａに取り付けられる。
【００４８】
かかるガイド部材４を有する製造装置を用いた写真用フィルムの製造方法において、ガイド部材４をパトローネ１のスリット口ａ３に挿入する動作は、上述した第１の発明におけるガイド部材３の場合と同一であるため詳細な説明は省略する。
【００４９】
パトローネ１に挿入されたガイド部材４に対して写真フィルムＦを挿入する動作は、ガイド部材４内のフィルム通路ｐを通して挿入を行う。このとき、写真フィルムＦは、その上下面が上側ガイド板４１及び下側ガイド板４２によってそれぞれ支持されるため、挿入過程において屈撓することなく挿入され、しかも、フィルム通路ｐの両側が側部ガイド部４３、４４で遮蔽されているため、写真フィルムＦの挿入時にその両側端も支持され、写真フィルムＦのより円滑な送り動作が可能となる。
【００５０】
その後、写真フィルムＦをスプール１Ｂに係止する動作、及び、その後にガイド部材４をパトローネ１から取り出す動作についても、上述した第１の発明におけるガイド部材３の場合と同一である。
【００５１】
なお、このガイド部材４では、写真フィルムＦをスプール１Ｂに係止した後、パトローネ１から取り出した際に図９と同様の状態となり、スリット口ａ３とフィルムシュート２２との間のフィルムパスラインを下方にＶ字状に屈曲させるが、その後はフィルムパスラインを屈曲させた状態でパトローネ１のスプール１Ｂ及びフィルム送りローラ２２ａを回転させることで、スプール１Ｂに係止した写真フィルムＦを巻き取り、写真用フィルムを完成する。
【００５２】
次に、第３の発明に係る写真用フィルムの製造方法について説明する。この第３の発明に係る製造方法を実施するために使用するのに好適な製造装置は、第１の発明において説明した製造装置におけるガイド部材及びその周辺の構成が異なっている。
【００５３】
このガイド部材及びその周辺の構成を図１３に示す。なお、以下の説明において、図１〜図１１と同一符号は同一構成を示している。
【００５４】
ガイド部材５は、前記した第１の発明におけるガイド部材３を２枚用意し、所定間隔をおいて上下に重ねたような構造を呈しており、その図示上側に位置する上側ガイド板５１と図示下側に位置する下側ガイド板５２との間隙によってフィルム通路ｐを形成している。
【００５５】
上側ガイド板５１及び下側ガイド板５２は、第１の発明におけるガイド部材３と同様に、それぞれ平板状の先端ガイド部５１ａ、５２ａに平板状の後端ガイド部５１ｂ、５２ｂが所定の角度で傾斜状に接続されており、また、先端ガイド部５１ａ、５２ａと後端ガイド部５１ｂ、５２ｂとの間に所定のＲ（アール）を有する曲部５１ｃ、５２ｃが設けられた略への字状をなしている。下側ガイド板５２の後端の図示下面は、ブロック２５の長孔２５ａ内に設けられた下側回動軸２７に取付腕２７ａを介して取り付けられると共に、上側ガイド板５１の後端の図示上面は、同じくブロック２５の長孔２５ａ内に設けられた上側回動軸２８に取付腕２８ａを介して取り付けられている。
【００５６】
上側回動軸２８は、円筒軸状の下側回動軸２７の外周面に嵌合する下向きＵ字状の凹部２８ｂを有しており、この上側回動軸２８が下側回動軸２７の外周面に嵌合した状態で、上側ガイド板５１及び下側ガイド板５２は、その間にフィルム通路ｐとなる間隔をあけて重なり合うように併設されると共に、上側回動軸２８は下側回動軸２７と同心状に一体となって回動可能となる。これによりガイド部材５は全体として回動可能となり、上側回動軸２８と下側回動軸２７とが長孔２５ａ内において互いに離れて嵌合が解除された状態のとき、上側ガイド板５１と下側ガイド板５２とが互いに上下に分離して、その間のフィルム通路ｐを大きく開放する。
【００５７】
次に、かかるガイド部材５を有する製造装置を用いた写真用フィルムの製造方法について説明する。このガイド部材５は、上側ガイド板５１と下側ガイド板５２とが重なり合うように併設された状態でパトローネ１のスリット口ａ３に対する挿入動作及び取り出し動作がなされるが、このときの挿入動作及び取り出し動作については、前述した第１の発明におけるガイド部材３の場合と同一であるため、重複する部分についての説明は省略し、異なる部分について図１４〜図１８を用いて説明する。
【００５８】
ガイド部材５は、下側回動軸２７に上側回動軸２８が嵌合した状態、即ち上側ガイド板５１と下側ガイド板５２とがその間にフィルム通路ｐをあけて重なり合うように併設された状態で、前述した第１の発明の場合と同様の操作により、その先端ガイド部５１ａ、５２ａの先端がスプール孔ｂ４に接近するように、パトローネホルダー２１にセットされているパトローネ１のスリット口ａ３に挿入される（図１４参照）。
【００５９】
次いで、前進したフィルムシュート２２を通して写真フィルムＦを送り出す。ここで、フィルムシュート２２の先端から送り出された写真フィルムＦは、パトローネ１のスリット口ａ３に挿入された上記ガイド部材５に形成されているフィルム通路ｐを通ってスリット口ａ３内に挿入される。このとき写真フィルムＦは、上側ガイド板５１及び下側ガイド板５２によってその上下面がそれぞれ支持されるため、挿入過程において屈撓することなく円滑にスプール１Ｂのスプール孔ｂ４まで案内され、係止されるようになる（図１５参照）。
【００６０】
次いで、ブロック９が後退を開始し、第１の発明の場合と同様にしてガイド部材５を引き出しと回転とを行いながら、パトローネ１から取り出す（図１６参照）。このとき写真フィルムＦは、上記の場合と同様に、スリット口ａ３とフィルムシュート２２との間のフィルムパスラインを下方にＶ字状に屈曲させるが、ガイド部材５がパトローネ１外へ取り出されると、上側回動軸２８は下側回動軸２７から分離し、ブロック２５の長孔２５ａに沿って上昇する。これによりガイド部材５の上側ガイド板５１は下側ガイド板５２から分離し、その間のフィルム通路ｐが上側に大きく開放し、写真フィルムＦのパスラインは直線状となる（図１７、図１８参照）。
【００６１】
次いで、パトローネ１のスプール１Ｂ及びフィルム送りローラ２２ａを回転させることで、スプール１Ｂに係止した写真フィルムＦを巻き取り、写真用フィルムを完成する。このとき、ガイド部材５はパトローネ１から取り出され、その上側ガイド板５１がフィルムパスライン上から退避してフィルム通路ｐを大きく開放しているため、巻き取り時に写真フィルムＦがガイド部材５と接触することはなく、写真フィルムＦに傷等が発生する心配はない。
【００６２】
なお、この第３の発明におけるガイド部材５の他の実施形態を図１９に示す。同図は上記ガイド部材５と異なる下側ガイド板５２のみを示しており、この下側ガイド板５２の両側端にはフィルム通路ｐ側に向けて立設する側部ガイド部５３、５４が形成されている。この側部ガイド部５３、５４は、図１３に示す上側ガイド板５１をフィルム通路ｐをおいて重ね合わせた際に該フィルム通路ｐの両側を覆うように形成されている。これにより、第２の発明におけるガイド部材４と同様に、上側ガイド板５１と下側ガイド板５２とによって写真フィルムを挿入する際の屈撓を防止すると同時に、側部ガイド部５３、５４によって写真フィルム挿入時の両側端を支持して横方向のガイドをなし、より円滑な送り動作が可能となるが、このガイド部材５によれば、上側ガイド板５１と下側ガイド板５２とが分離可能であるため、第２の発明におけるガイド部材４とは異なり、ガイド部材４の取り出し後のフィルムパスラインを直線状にした状態で巻き取りが可能であり、第２の発明に比べて写真フィルムを傷めるおそれは少ない。
【００６３】
側部ガイド部５３、５４は、図示する形態に限らず、ガイド部材５の上側ガイド板５１側に設けられていてもよく、また、例えば一方の側部ガイド部５３を上側ガイド板５１に、他方の側部ガイド部５４を下側ガイド板５２にそれぞれ分けて設けるようにしてもよい。
【００６４】
なお、かかる側部ガイド部は、図示しないが、前記した第１の発明におけるガイド部材３に、写真フィルムが当接する側（図示下側）に向けて立設するように形成してもよく、これにより第１の発明においても、写真フィルム挿入時にその両側端を支持して横方向のガイドをなすことで、より円滑な送り動作をなすようにすることもできる。
【００６５】
以上説明した各発明では、パトローネ１の向きは、スリット口ａ３が上方に位置するようにセットされるようにしたが、スリット口ａ３が下方に位置するようにパトローネホルダー２１にセットされるようにしてもよい。この場合、ガイド部材３、４、５も図示の態様と上下反対に配置され、その回動動作も反対に動作されることはもちろんである。
【００６６】
また、以上説明した各発明は、新規な写真用フィルムを製造する場合に限らない。即ち、スプールを内蔵し、両側がキャップで遮蔽された状態の写真用パトローネであれば、使用済みのパトローネの他、生産ロス品や期限切れにより回収されたパトローネに対しても同様に適用でき、これによりパトローネの再利用を図ることも可能である。この場合、スプールに係止されてパトローネ内に残存するフィルムは、スプールから引きちぎる等により排除しておき、その後、上記方法を適用すればよい。
【００６７】
【発明の効果】
本発明によれば、従来の問題点を解消し、スプールを内蔵し、両側がキャップで遮蔽された形状の安定した写真用パトローネに対して、パトローネ外からフィルムを係止して巻き取ることができ、しかも、パトローネのスリット口やテレンプに対してダメージを与えることなくフィルム係止を行うことのできる写真用フィルムの製造方法を提供することができる。
【図面の簡単な説明】
【図１】（ａ）は写真用パトローネの外観構成を示す斜視図、（ｂ）はその断面図
【図２】（ａ）はパトローネ内に収容されるスプールの斜視図、（ｂ）はスプールの中央断面図
【図３】第１の発明に係る写真用フィルムの製造方法を実施するために好適な製造装置の一例を示す概略斜視図
【図４】第１の発明に係る写真用フィルムの製造方法に使用されるガイド部材を示す斜視図
【図５】第１の発明に係る写真用フィルムの製造方法の工程を説明する図
【図６】第１の発明に係る写真用フィルムの製造方法の工程を説明する図
【図７】第１の発明に係る写真用フィルムの製造方法の工程を説明する図
【図８】第１の発明に係る写真用フィルムの製造方法の工程を説明する図
【図９】第１の発明に係る写真用フィルムの製造方法の工程を説明する図
【図１０】第１の発明に係る写真用フィルムの製造方法の工程を説明する図
【図１１】第１の発明に係る写真用フィルムの製造方法の工程を説明する図
【図１２】（ａ）は第２の発明に係る写真用フィルムの製造方法に使用されるガイド部材を示す斜視図、（ｂ）はその側面図
【図１３】第３の発明に係る写真用フィルムの製造方法に使用されるガイド部材及びその周辺の構成を示す斜視図
【図１４】第３の発明に係る写真用フィルムの製造方法の工程を説明する図
【図１５】第３の発明に係る写真用フィルムの製造方法の工程を説明する図
【図１６】第３の発明に係る写真用フィルムの製造方法の工程を説明する図
【図１７】第３の発明に係る写真用フィルムの製造方法の工程を説明する図
【図１８】第３の発明に係る写真用フィルムの製造方法の工程を説明する図
【図１９】第３の発明に係るガイド部材の他の実施形態を示す斜視図
【符号の説明】
１：写真用パトローネ
１Ａ：パトローネ本体
１Ｂ：スプール
ａ１：キャップ
ａ３：スリット口
２：製造装置
３、４、５：ガイド部材
３ａ、４ａ、５１ａ、５２ａ：先端ガイド部
３ｂ、４ｂ、５１ｂ、５２ｂ：後端ガイド部
Ｆ：写真フィルム
Ｐ：フィルム通路
【図１】
2004020750.tif 000003
【図２】
2004020750.tif 000004
【図３】
2004020750.tif 000005
【図４】
2004020750.tif 000006
【図５】
2004020750.tif 000007
【図６】
2004020750.tif 000008
【図７】
2004020750.tif 000009
【図８】
2004020750.tif 000010
【図９】
2004020750.tif 000011
【図１０】
2004020750.tif 000012
【図１１】
2004020750.tif 000013
【図１２】
2004020750.tif 000014
【図１３】
2004020750.tif 000015
【図１４】
2004020750.tif 000016
【図１５】
2004020750.tif 000017
【図１６】
2004020750.tif 000018
【図１７】
2004020750.tif 000019
【図１８】
2004020750.tif 000020
【図１９】
2004020750.tif 000021